(57)【要約】【課題】収容した紙片等が落下してしまうことを防止可能な収納ポケット付きクリアファイルを提供する。【解決手段】第１折曲線２２を介し第１領域２４と第２領域２６に区切って２つ折りされる第１シート２０と、第１領域２４および第２領域２６において第１折曲線２２に対向する対向端辺の少なくとも一方を第２折曲線３２とし、第１シート２０と一体をなし第１シート２０の内側に２つ折りされ、第１領域２４および第２領域２６の少なくとも一方よりも小片の第２シート３０を具備し、第２折曲線３２に交差する下側端辺（２８，３４）に沿って第１シート２０と第２シート３０とが接合され、第２シート３０の下側端辺３４と対向する上側端辺３６と向き合う第１シート２０の部位には、第１切込線５０により第１舌片５２が形成され第２シート３０の上側端辺３６が係止可能な収納ポケット付きクリアファイル１０である。【選択図】図１
0003221081.tif 000002
【実用新案登録請求の範囲】
【請求項１】
第１折曲線を介して第１領域と第２領域に区切って２つ折りにされる第１シートと、
前記第１領域および前記第２領域において前記第１折曲線に対向する対向端辺の少なくとも一方を第２折曲線として、前記第１シートと一体をなして前記第１シートの内側に２つ折りにされ、前記第１領域および前記第２領域の少なくとも一方よりも小片の第２シートと、を具備し、
前記第２折曲線に交差する第１端辺に沿って前記第１シートと前記第２シートとが接合され、
前記第２シートの前記第１端辺と対向する第２端辺と向き合う前記第１シートの部位には、第１切込線により第１舌片が形成されていて、
前記第１舌片により前記第２シートの前記第２端辺を係止可能に形成され、前記第１領域および前記第２領域の少なくとも一方と、前記第２シートとの間が収納ポケットに形成されていることを特徴とする収納ポケット付きクリアファイル。
【請求項２】
前記第１シートおよび前記第２シートは矩形であって、
前記第２シートは、前記第１領域および前記第２領域の少なくとも一方よりも幅狭かつ低背に形成されていて、
前記第１舌片は、前記第２シートの高さ方向端辺と向き合う部位に形成されていることを特徴とする請求項１記載の収納ポケット付きクリアファイル。
【請求項３】
前記第２シートの前記第２折曲線と平行な幅方向端辺と向き合う前記第１シートの部位には、第２切込線により第２舌片が形成されていて、前記第２舌片により前記第２シートの幅方向端辺が係止可能になっていることを特徴とする請求項２記載の収納ポケット付きクリアファイル。
【考案の詳細な説明】
【技術分野】
【０００１】
本考案は収納ポケット付きクリアファイルに関する。
【背景技術】
【０００２】
クリアファイルの中には紙片等を収容するためのポケットを有する、いわゆる収納ポケット付きクリアファイルと称されるものがある。このような収納ポケット付きクリアファイルには特許文献１に開示されているような構成のものが提案されている。
【先行技術文献】
【特許文献】
【０００３】
【特許文献１】特開２０１２−１４４０３２号公報（請求項１−３，図２等）
【考案の概要】
【考案が解決しようとする課題】
【０００４】
特許文献１に開示されている構成の収納ポケット付きクリアファイルは、収納ポケットの上側開口部が常に開口した状態になっている。このため、収納ポケットの開口部を下側に向けた状態で使用すると、収納ポケットの内部に収容した紙片等が収納ポケット付きクリアファイルから落下してしまうおそれがあるといった課題がある。
【課題を解決するための手段】
【０００５】
そこで本考案は、収納ポケットの内部に収容した紙片等が収納ポケット付きクリアファイルから落下してしまうことを防止した収納ポケット付きクリアファイルの提供を目的としている。
【０００６】
上記課題を解決するために本考案者は鋭意研究を行った結果、以下の構成に想到した。すなわち、第１折曲線を介して第１領域と第２領域に区切って２つ折りにされる第１シートと、前記第１領域および前記第２領域において前記第１折曲線に対向する対向端辺の少なくとも一方を第２折曲線として、前記第１シートと一体をなして前記第１シートの内側に２つ折りにされ、前記第１領域および前記第２領域の少なくとも一方よりも小片の第２シートと、を具備し、前記第２折曲線に交差する第１端辺に沿って前記第１シートと前記第２シートとが接合され、前記第２シートの前記第１端辺と対向する第２端辺と向き合う前記第１シートの部位には、第１切込線により第１舌片が形成されていて、前記第１舌片により前記第２シートの前記第２端辺を係止可能に形成され、前記第１領域および前記第２領域の少なくとも一方と、前記第２シートとの間が収納ポケットに形成されていることを特徴とする収納ポケット付きクリアファイルである。
【０００７】
これにより、少なくとも第１舌片の部分においては収納ポケットの上側開口部に相当する第２シートの第２端辺を第１舌片により係止させた状態にすることができ、収納ポケット内の紙片等が収納ポケット付きクリアファイルから落下してしまうことがない。
【０００８】
また、前記第１シートおよび前記第２シートは矩形であって、前記第２シートは、前記第１領域および前記第２領域の少なくとも一方よりも幅狭かつ低背に形成されていて、前記第１舌片は、前記第２シートの高さ方向端辺と向き合う部位に形成されていることが好ましい。
【０００９】
これにより、製造時における端材発生量が少なく生産効率に優れた矩形の収納ポケット付きクリアファイルの使い勝手を良好にすることができる。
【００１０】
また、前記第２シートの前記第２折曲線と平行な幅方向端辺と向き合う前記第１シートの部位には、第２切込線により第２舌片が形成されていて、前記第２舌片により前記第２シートの幅方向端辺が係止可能になっていることが好ましい。
【００１１】
これにより、第１折曲線の近傍位置で第１折曲線に対向する第２シートの幅方向端辺（収納ポケットの横側開口部）についても上側開口部と同様に第２舌片により係止させた状態にすることができる。
【考案の効果】
【００１２】
本考案にかかる構成を採用することにより、収納ポケット付きクリアファイルにおいて、収納ポケットの開口部が収納ポケット付きクリアファイルの外部との間に係止部を設けることができ、収納ポケット内に収容された紙片等が収納ポケット付きクリアファイルから落下してしまうといった不具合を解消することができる。
【図面の簡単な説明】
【００１３】
【図１】第１実施形態における収納ポケット付きクリアファイルの見開き状態を示す斜視図である。
【図２】図１の収納ポケット付きクリアファイルに紙片を収容して折り畳んだ状態を示す正面図である。
【図３】第２実施形態における収納ポケット付きクリアファイルの見開き状態を示す正面図である。
【図４】図３の収納ポケット付きクリアファイルに紙片を収容した状態を示す正面図である。
【図５】第３実施形態における収納ポケット付きクリアファイルの見開き状態を示す正面図である。
【考案を実施するための形態】
【００１４】
以下、本考案における収納ポケット付きクリアファイルの実施形態について図面に基づいて具体的に説明する。
【００１５】
（第１実施形態）
本実施形態における収納ポケット付きクリアファイル１０は、図１に示すように、第１領域２４と第２領域２６に区切るようにして第１折曲線２２の位置で２つ折りにされる第１シート２０と、第１シート２０と一体をなし、第２折曲線３２を介して第１シート２０の内側に折り曲げられる第２シート３０とを具備している。本実施形態における第１シート２０と第２シート３０はいずれもポリプロピレンやポリエチレン等により形成されているが、これら材料に限定されるものではない。
【００１６】
本実施形態においては、第１シート２０の第１領域２４において第１折曲線２２に対向する対向端辺（第１領域２４および第２領域２６のうちの一方の対向端辺）を第２折曲線３２としている。第１シート２０と一体をなして、第２折曲線３２の位置で第１領域２４の内側に折り曲げられてなる第２シート３０は、第１領域２４よりも小片に形成されている。図１からも明らかなように、第２シート３０は、第１領域２４の幅寸法・高さ寸法に対して幅狭寸法・低背寸法に形成されている。
【００１７】
第２折曲線３２に交差する第１シート２０および第２シート３０の第１端辺としての下側端辺２８，３４どうしが超音波溶着等の公知の手法により接合され接合端辺４０に形成されている。なお、下側端辺２８，３４とは、第１シート２０と第２シート３０の下側における端辺はもちろんのこと、その近傍部分を含む概念である。ここでは、第１シート２０の下側端辺２８と第２シート３０の下側端辺３４の位置が一致しているが、第１シート２０または第２シート３０の下側端辺２８，３４のいずれかを基準にして（いずれかに沿って）他方に接合させた接合端辺４０にすることもできる。このようにして第１領域２４と第２シート３０との間が収納ポケット６０として形成されることになる。
【００１８】
また、第２シート３０の下側端辺３４と対向する第２端辺としての上側端辺３６と向き合う第１シート２０（第１領域２４）の部位には、第１切込線５０により形成され、上側端辺３６を係止可能な第１舌片５２が設けられている。第１切込線５０は、第１シート２０と第２シート３０を互いに密着させた状態において、第１切込線５０の中途部と第２シート３０の上側端辺３６とが交差するような半円状に形成されている。第１切込線５０の両端部は、第１舌片５２を形成する側の湾曲面とは反対側かつ曲率半径の小さい湾曲端部５１に形成されている。このような湾曲端部５１を設けることにより、第１舌片５２を繰り返して使用することによる第１切込線５０の両端部の裂け広がりを防止することができる。
【００１９】
このようにして形成された第１舌片５２を第１シート２０の面外方向に弾性変形させた後、第２シート３０の上側端辺３６を跨がせるようにした状態で弾性変形を復元させればよい。これにより、第１舌片５２が第２シート３０の上側端辺３６を跨いで第２シート３０の外側面（収納ポケット６０の外側面）に重複した状態になる（図２参照）。換言すると、第１舌片５２が収納ポケット６０の上側開口端辺（上側端辺３６）を係止し、収納ポケット６０に収納されたチケット等の紙片７０が収納ポケット６０から落下することを防止することができる。
【００２０】
なお、収納ポケット６０は側方開口端辺６２を有しているが、図２に示すように、第１折曲線２２の部分で第２領域２６を第１領域２４に重ねるように２つ折りにすれば、側方開口端辺６２は第２領域２６により閉塞することができる。よって、側方開口端辺６２から紙片７０が落下してしまうことはないのである。
【００２１】
（第２実施形態）
図３は、第２実施形態における収納ポケット付きクリアファイル１０を見開き状態にした正面図である。本実施形態においては、第１実施形態と共通する構成については、第１実施形態で用いた符号を用いることでここでの詳細な説明を省略している。
【００２２】
本実施形態においては、第１領域２４および第２領域２６における第１折曲線２２に対向する対向端辺のいずれもが第２折曲線３２になっている。すなわち、図３に示すように、第１領域２４と第２領域２６のそれぞれに対して第２シート３０が設けられ、２つの収納ポケット６０を有している点が本実施形態の特徴点である。そして、それぞれの収納ポケット６０の上側開口端辺と向き合う第１領域２４および第２領域２６（第１シート２０）には、それぞれ第１切込線５０により第１舌片５２が形成されている。
【００２３】
このような構成を採用することで、図４に示すように、一つの収納ポケット付きクリアファイル１０に複数種類の紙片７０をそれぞれ区別して収容することができる点において好都合である。
【００２４】
(第３実施形態)
図５は、第３実施形態における収納ポケット付きクリアファイル１０を見開き状態にした正面図である。本実施形態においても先の実施形態と共通する構成部分には同一の符号を付すことによりここでの詳細な説明を省略している。
【００２５】
本実施形態においては、第２シート３０の第２折曲線３２と平行な幅方向端辺３８（収納ポケット６０の側方開口端辺６２）と向き合う第１シート２０の部位に、第２切込線５４により第２舌片５６が形成されている。第２切込線５４は、第２シート３０と第１シート２０とを密着させた状態で第２切込線５４の中途部が幅方向端辺３８と交差するように形成されている。これにより、第２舌片５６を第１シート２０の面外方向に弾性変形させた後、幅方向端辺３８を跨がせるようにした状態で弾性変形を復元させて第２舌片５６を第２シート３０の外側面（収納ポケット６０の外側面）に重ね合わせることで、第２舌片５６で幅方向端辺３８を係止することができる。
【００２６】
このように第１舌片５２と第２舌片５６を設けることにより、収納ポケット付きクリアファイル１０を第１折曲線２２の位置で２つ折りにする前の状態であっても、収納ポケット６０に収容した紙片７０が収納ポケット６０から落下することが防止することができる点において好都合である。
【００２７】
このように、本考案における収納ポケット付きクリアファイル１０は、第１切込線５０または、第１切込線５０および第２切込線５４により収納ポケット６０の係止手段を構成しているため、係止手段である第１舌片５２および第２舌片５６の製造時における端材の発生をなくすことができる点において製造コストの削減に寄与することができる点で好都合である。
【００２８】
以上に、本考案にかかる収納ポケット付きクリアファイル１０について複数の実施形態に基づいて詳細に説明をしたが、本考案の技術的範囲は、以上の実施形態に限定されるものではない。すなわち、考案の要旨を変更しない範囲における適宜変更を施した構成は、本考案の技術的範囲に属するのである。例えば、以上の実施形態においては、いずれも第１領域２４と第２領域２６の大きさが等しい形態について説明しているが、第１領域２４と第２領域２６の大きさが異なる形態を採用することもできる。
【００２９】
また、以上の実施形態においては、いずれも２つ折りにした際に長方形（矩形）をなす収納ポケット付きクリアファイル１０の形態について説明しているが、２つ折りにした際の形態は長方形に限定されるものではなく、任意の形態を採用することができる。
【００３０】
さらに、以上の実施形態においては、第１切込線５０と第２切込線５４はいずれも半円状に形成された形態について説明しているが、第１切込線５０と第２切込線５４を倒コの字形状や三角形状等の任意の形状で形成することもできる。
【００３１】
この他、明細書内に記載されている各種の変形例を適宜組み合わせた形態を採用することも可能である。
【符号の説明】
【００３２】
１０  収納ポケット付きクリアファイル，
２０  第１シート，２２  第１折曲線，２４  第１領域，２６  第２領域，
２８  下側端辺（第１端辺），
３０  第２シート，３２  第２折曲線，
３４  下側端辺（第１端辺），３６  上側端辺（第２端辺），３８  幅方向端辺，
４０  接合端辺，
５０  第１切込線，５１  湾曲端部，５２  第１舌片，
５４  第２切込線，５６  第２舌片，
６０  収納ポケット，６２  側方開口端辺，
７０  紙片
【図１】
0003221081.tif 000003
【図２】
0003221081.tif 000004
【図３】
0003221081.tif 000005
【図４】
0003221081.tif 000006
【図５】
0003221081.tif 000007